(57)【要約】【課題】着脱が容易で、違和感、痛み、うっ血等が生じることもなく、位置ずれや脱落もなく、足指間を拡開状態に維持することができ、種々の病状を解消し、健康状態を得ることができることとなる足指間の間隔保持具とする。【解決手段】足指に嵌装されるループ部材を有し、そのループ部材の相対向する外側面に略台形状に形成されたスペーサ部材を一体的に備えていることとし、前記したループ部材はソフトシリコン、プラスチック等の柔らかでフレキシブルな素材で成形された帯状のものとしたこととし、前記したスペーサ部材はゴム等の緩衝性を有する素材で成形されていることとし、前記したループ部材は一部に切離箇所を形成し、その切離箇所の各々の先端におけるコーナーを少なくとも切落させた構造としてあることとする。【選択図】          図１
2004305306.tif 000002
【特許請求の範囲】
【請求項１】
足指に嵌装されるループ部材を有し、そのループ部材の相対向する外側面に略台形状に形成されたスペーサ部材を一体的に備えていることを特徴とする足指間の間隔保持具。
【請求項２】
前記したループ部材はソフトシリコン、プラスチック等の柔らかでフレキシブルな素材で成形された帯状のものとしたことを特徴とする請求項１に記載の足指間の間隔保持具。
【請求項３】
前記したスペーサ部材はゴム等の緩衝性を有する素材で成形されていることを特徴とする請求項１または請求項２に記載の足指間の間隔保持具。
【請求項４】
前記したループ部材は一部に切離箇所を形成し、その切離箇所の各々の先端におけるコーナーを少なくとも切落させた構造としてあることを特徴とする請求項１、請求項２または請求項３に記載の足指間の間隔保持具。
【発明の詳細な説明】
【０００１】
【発明の属する技術分野】
本発明は足指間の間隔保持具に関し、特に、足の第二指乃至第四指に嵌装することで隣接する指間を拡開させ、その状態を維持させることで指間の密着を是正し、圧迫性萎縮を緩和して水虫をはじめとする皮膚病の減少、および外反母指や内反小指の痛みを緩和し、症状の進行を抑え、初期の矯正をはかることのできる足指間の間隔保持具に関する。
【０００２】
【特許文献】
本発明に関し、出願人は先行する技術を調査したが、格別に類似すると思われる文献は発見できなかった。
【０００３】
【発明の背景】
現在、我が国をはじめ、多くの国々にあっては靴を履く生活が一般的となっており、この靴の使用は足指をまとめてしまう状態を促し、足指は恒常的な密着状態とされている。加えて、地球温暖化とヒート・アイランド現象によって高温多湿化された気象条件とも相俟って、足指間には熱と蒸れが発生し、滞ってしまう結果を招いている。
【０００４】
また、現在の靴社会にあって、特に女性用のファッション性を重視した先細靴やハイヒールの長年の使用は足指の圧迫で第一指が外側に反る外反母指、第五指が内側に反る内反小指の疾患者も増えている。
【０００５】
【発明が解決しようとする課題】
上記した状況にあって、異物を足指間に位置させることで、強制的に足指間を拡開することは試みられているが、違和感と痛みを伴ない、また、装着、取り外しが面倒であったり、適正な装着状態を維持することが困難なことが多かった。
【０００６】
【発明の目的】
そこで、本発明は上記した実情、問題点に着目してなされたもので、着脱が容易で、違和感、痛み、うっ血等が生じることもなく、位置ずれや脱落もなく、足指間を拡開状態に維持することができ、種々の病状を解消し、健康状態を得ることができることとなる足指間の間隔保持具を提供することを目的としている。
【０００７】
【課題を解決するための手段】
この目的を達成するために、本発明に係る足指間の間隔保持具は足指に嵌装されるループ部材を有し、そのループ部材の相対向する外側面に略台形状に形成されたスペーサ部材を一体的に備えていることを特徴とし、前記したループ部材はソフトシリコン、プラスチック等の柔らかでフレキシブルな素材で成形された帯状のものとしたことを特徴とし、前記したスペーサ部材はゴム等の緩衝性を有する素材で成形されていることを特徴とし、前記したループ部材は一部に切離箇所を形成し、その切離箇所の各々の先端におけるコーナーを少なくとも切落させた構造としてあることを特徴としている。
【０００８】
【作用】
上記した構成としたことによって、ループ部材をワンタッチで指甲側から着脱でき、その素材によって違和感や痛みが和らげられ、装着時の位置決めもなされ、目的とする足指の拡開状態を良好に維持することができることとなるのである。
【０００９】
【発明の実施の形態】
次に、本発明の好ましい実施の形態を図面を参照して説明する。図１は本発明を実施した足指間の間隔保持具を示す斜視図、図２は同じく正面図、図３は同じく側面図、図４は同じく平面図、図５は同じく底面図、図６は同じく使用状態を示す平面図、図７は同じく裏面図、図８は同じく正面図である。
【００１０】
これらの図にあって１は足指間の間隔保持具本体を示している。この間隔保持具本体１は、この実施の形態にあってはソフトシリコンによって成形されたループ部材２を有している。このループ部材２は略１０ｍｍの幅と１〜１．５ｍｍ程度の厚さを有する帯状のものとなっており、標準的にはその内径を１８ｍｍ程度としてある。
【００１１】
前記したループ部材２は一部に切離箇所が形成され、略６ｍｍ程度の隙間３が形成されている。この隙間３を形成する各々の先端はそのコーナーは切落され、爪状台形部４・４とされている。
【００１２】
また、前記したループ部材２の外側面には、前記した隙間３の中心部分を通る中心線を境として対称位置に、例えばゴム等の緩衝性を有する素材で成形されたスペーサ部材５・６が一体的に備えられている。このスペーサ部材５・６はその高さを各々１４ｍｍ程度とし、ループ部材２と合致する幅（奥行き）を有するものとされ、その一体化は接着剤の使用を想定している。
【００１３】
前記したスペーサ部材５・６は共に下辺が長い台形に形成され、その内面はループ部材２と沿う弧面となっている。そして、スペーサ部材５の場合には下辺が略９ｍｍ、上辺が７ｍｍ程度のものとし、スペーサ部材６は下辺を略７ｍｍ、上辺を５ｍｍ程度のやや小さめのものとしてある。そして、この各スペーサ部材５・６のエッヂは必要に応じて面取りやアール付け処理が施される。
【００１４】
本実施の形態に係る足指間の間隔保持具は上記のように構成されている。各数値は一例であってこれに限定されるものでないことは勿論である。また、爪状台形部４・４もこれに限らず、アール形状等とすることも可能である。
【００１５】
続いて、この間隔保持具本体１の使用方法、作用を説明する。例えば足の第二指の甲側からループ部材２の隙間３（爪状台形部４・４）を宛がい、上方から押圧すると、ループ部材２の素材特性によって隙間３は拡がり、第二指の裏側、特に指尖球の奥側へ爪状台形部４・４が入り込み、ループ部材２はしっかりと第二指をホールドして装着される。
【００１６】
この際にスペーサ部材５・６は第二指と第一指の間及び第二指と第三指の間へ位置され、各指間を拡開した状態を保持することとなる。ここで両隣の足指の慣性力によって、台形となっているスペーサ部材５・６は下方へ押され、ループ部材２は同期して下方へ押され、隙間３が縮められ、ループ部材２は締められることとなり、指への密着性が強くなり、位置ずれ、空回りが防止される。
【００１７】
また、指間の拡開状態は付け根まで十分になされ、余裕ある空間を作り出せる。そして、スペーサ部材５・６を台形としてあることで指甲側から裏面まで、テーパ面が均等に接することとなり、違和感、痛みを無くし、指の太さに関わらず両隣の指を水平方向に押し拡げることができ、両隣の指の潜り込みや背上がりを防止できる。
【００１８】
【発明の効果】
本発明に係る足指間の間隔保持具は上述のように構成され、作用する。そのために、指間の熱、蒸れが発散解消でき、空気と接触による自然乾燥がなされ、強い表皮が作られ、水虫、カビによる感染を予防、症状の改善、治療効果の向上が得られる。
【００１９】
また、長期に亘る使用と第二指、第四指への装着によると、全ての指間が拡幅され、圧迫性萎縮が矯正され、本来の各足指の機能が回復し、疲れのない安定した立位、歩行ができ、姿勢も良くなって、膝や腰への無理な負荷が減少し、膝や腰の痛みも改善される。
【００２０】
さらに、第二指に装着することで第一指の外側への反りの進行を抑えることができ、内側へ押し戻す。即ち、靴による圧迫で外側へ伸びきった外転筋及び短母指屈筋腱を元に戻すことで、外反母指の初期矯正が行なえる。そして、第四指への装着で第五指の内側への反りの進行を抑え、痛みを緩和し、外側へ押し戻す。即ち、内側に伸びきった外転筋及び短母指屈筋腱を元に戻すことで内反小指の初期矯正が行なえることとなる。
【図面の簡単な説明】
【図１】本発明を実施した足指間の間隔保持具を示す斜視図である。
【図２】正面図である。
【図３】側面図である。
【図４】平面図である。
【図５】底面図である。
【図６】使用状態を示す平面図である。
【図７】裏面図である。
【図８】正面図である。
【符号の説明】
１  足指間の間隔保持具本体
２  ループ部材
３  隙間
４  爪状台形部
５  スペーサ部材
６  スペーサ部材
【図１】
2004305306.tif 000003
【図２】
2004305306.tif 000004
【図３】
2004305306.tif 000005
【図４】
2004305306.tif 000006
【図５】
2004305306.tif 000007
【図６】
2004305306.tif 000008
【図７】
2004305306.tif 000009
【図８】
2004305306.tif 000010